(57)【要約】【課題】線状に配列された複数のＬＥＤ光源２１ａと、導光板２３とを有する照明装置２０及びそれを備える液晶表示装置１について、ＬＥＤ光源２１ａの光を効率よく導光板２３へ伝えながら、有効照明領域を増大させると共に、装置全体の小型化を図る。【解決手段】導光板２３は、ＬＥＤ光源２１ａの配列方向に延びる第１の側部３１と、ＬＥＤ光源２１ａの配列方向と交差する方向に延びる第２の側部３２とを備えている。第２の側部３２には、補助光を導光板２３へ入射させる補助光源３０が設けられ、第１の側部３１は、各ＬＥＤ光源２１ａの光がそれぞれ入射する複数の入射面３１ａと、該各入射面３１ａの間に形成され、導光板２３に入射した補助光を集める集光面３１ｂとを備えている。【選択図】  図１
2005005060.tif 000002
【特許請求の範囲】
【請求項１】
所定の間隔で列状に並ぶ複数の点状光源と、
上記点状光源の光が入射する導光体とを備える照明装置であって、
上記導光体は、上記点状光源の配列方向に延びる第１の側部と、点状光源の配列方向と交差する方向に延びる第２の側部とを備え、
上記第２の側部には、補助光を上記導光体へ入射させる補助光源が設けられ、
上記第１の側部は、上記各点状光源の光がそれぞれ入射する複数の入射面と、該各入射面の間に形成され、導光体に入射した補助光を集める集光面とを備えている
ことを特徴とする照明装置。
【請求項２】
請求項１において、
上記第２の側部は、第１の側部の両端に形成され、
補助光源は、上記各第２の側部にそれぞれ設けられている
ことを特徴とする照明装置。
【請求項３】
請求項１において、
上記集光面は、点状光源の配列方向に直交する方向へ向かうに連れて、溝幅が狭くなる切り欠き溝を構成している
ことを特徴とする照明装置。
【請求項４】
請求項３において、
上記切り欠き溝は、該各切り欠き溝の位置が補助光源から導光体の内側へ移るに連れて、深くなっていくように形成されている
ことを特徴とする照明装置。
【請求項５】
請求項１〜４の何れか１つの照明装置と、
上記照明装置の光を変調する液晶表示素子とを備えている
ことを特徴とする液晶表示装置。
【発明の詳細な説明】
【０００１】
【発明の属する技術分野】
本発明は、照明装置及びそれを備えた液晶表示装置に関し、特に、線状に配列された複数の点状光源を有する照明装置及びそれを備えた液晶表示装置に係るものである。
【０００２】
【従来の技術】
近年、液晶表示装置（Ｌｉｑｕｉｄ  Ｃｒｙｓｔａｌ  Ｄｉｓｐｌａｙ）は、薄型で低消費電力であるという特徴を生かして、パーソナルコンピュータ等のＯＡ機器、携帯情報機器、及び液晶モニターを備えたカメラー体型ＶＴＲ等に広く用いられている。
【０００３】
このような液晶表示装置として、例えば、視認性に優れた透過型の液晶表示装置が知られている。透過型の液晶表示装置は、液晶表示素子（液晶表示パネル）の背面側に設けられた照明装置（以降、バックライトとも称する）を備え、該バックライトの光を液晶表示素子で変調することにより、表示を行うようになっている。また、バックライトの光に加え、周囲の外光を利用して表示を行う透過反射両用型の液晶表示装置も一般に知られている。
【０００４】
上記透過型の液晶表示装置や、透過反射両用型の液晶表示装置に適用されるバックライトは、液晶表示装置の薄型化及び軽量化に伴って、いわゆるエッジライト方式が主流になりつつある（例えば、特許文献１参照）。エッジライト方式のバックライトは、導光板と、この導光板の側面に設けられた線状光源とを備えている。そして、線状光源から導光板へ入射した光を、該導光板により均斉化して液晶表示素子に照射するようになっている。
【０００５】
上記線状光源には、従来より冷陰極管を適用することが知られていたが、近年では、点状光源である複数の発光ダイオード（ＬＥＤ）が線状に配列して構成されたＬＥＤアレイを適用することが多い。これは、ＬＥＤが、冷陰極管よりも低消費電力性に優れていることや、薄型化が可能であるという利点を有しているためである。このようなＬＥＤアレイを線状光源として備えるバックライトは、例えば携帯電話や携帯型情報端末等の液晶表示装置に好適に用いられている。
【０００６】
ここで、従来のエッジライト方式のバックライトについて、図５を参照して説明する。
【０００７】
図５は、液晶表示装置５０１の概略構成を示す斜視図である。液晶表示装置５０１は、液晶表示素子５１０と、該液晶表示素子５１０の背面側（液晶表示素子５１０を介して観察者側と反対側）に設けられたバックライト５００と、該バックライト５００及び液晶表示素子５１０を収納するケーシング５２８とを備えている。
【０００８】
バックライト５００は、線状光源５２０と、該線状光源５２０の光が入射する導光板５２３と、線状光源５２０及び導光板５２３を保持する枠体５２４と、導光板５２３の背面側に設けられた反射シート５２６と、導光板５２３の前面側に設けられた光学シート５２５とにより構成されている。
【０００９】
導光板５２３は、ポリカーボネートやポリメチルメタクリレート等の透明樹脂材料により構成されており、線状光源５２０からの光が入射する入射面５２３ａと、該入射面５２３ａから入射した光が液晶表示素子５１０へ向かって出射する出射面５２３ｂとを有している。
【００１０】
線状光源５２０は、入射面５２３ａに沿って所定の間隔で配列された複数のＬＥＤ光源５２１と、該各ＬＥＤ光源５２１が実装された電源供給用のフレキシブル基板（可撓性を有する配線基板）５２２とを備えるＬＥＤアレイにより構成されている。
【００１１】
そして、各ＬＥＤ光源５２１の光は、入射面５２３ａを介して導光板５２３へ入射した後、導光板５２３の背面側で反射シート５２６により反射されると共に、前面側の出射面５２３ｂから出射する。出射面５２３ｂから出射した光は、光学シート５２５により、光の進行方向が液晶表示素子５１０における表示面の法線方向に近付けられる。こうして、液晶表示素子５１０に入射して変調された照明光により、所望の表示が行われる。
【００１２】
ところが、上記特許文献１に示される従来の照明装置では、線状光源５２０が、所定の間隔で配列された複数の点状光源であるＬＥＤ光源５２１により構成されると共に、該各ＬＥＤ光源５２１の照射角度が所定の指向性を有している。すなわち、図６に拡大して示すように、導光板５２３への入光部付近において、ＬＥＤ光源５２１が設けられている位置Ａでは照明光が比較的明るくなる一方、ＬＥＤ光源５２１が設けられていない位置Ｂでは照明光が比較的暗くなる。その結果、導光板５２３の入光部付近で明暗むらが生じるために、照明品位が劣化してしまう。そして、その明暗むらが生じる領域を有効照明領域として使用できないため、有効照明領域が狭くなると共に、該有効照明領域の周囲の額縁面積が大きくなってしまう。
【００１３】
そこで、図７に示すように、ＬＥＤ光源５２１の光を、導光板５２３へ入射させる前に予め均斉化させるための第２の導光板５３０を設けることが知られている（例えば、特許文献２参照）。すなわち、第２の導光板５３０は、導光板５２３の入射面５２３ａに設けられている。第２の導光板５３０の両側端部には、ＬＥＤ光源５２１がそれぞれ設けられている。そして、各ＬＥＤ光源５２１から第２の導光板５３０へ入射した光は、該第２の導光板５３０により均斉化された後に、導光板５２３へ入射する。このことにより、導光板５２３における有効照明面積を増大させることが可能となる。
【００１４】
【特許文献１】
特開２００２−７５０３８号公報
【特許文献２】
特開平１１−２４９５７９号公報
【００１５】
【発明が解決しようとする課題】
しかしながら、上記特許文献２に示される従来の照明装置では、ＬＥＤ光源５２１の光が第２の導光板５３０で減衰することが避けられず、ＬＥＤ光源５２１の数が一定の場合には、光を導光板５２３に直接に入射させる特許文献１の照明装置に比べて、照明の明るさが低下してしまう。
【００１６】
そこで、充分な照明の光量を確保するために、第２の導光板５３０の両側端部に設けるＬＥＤ光源５２１の数を増やす必要がある。ところが、この場合には、図７に示すように、第２の導光板５３０が比較的大きくなることが避けられない。
【００１７】
すなわち、上記特許文献１の照明装置では、図６に示すように、照明に寄与しない不要領域の幅ａは、導光板５２３の入光部における無効照明領域の幅と、１つのＬＥＤ光源５２１の幅との合計のみである。これに対し、特許文献２の照明装置では、図７に示すように、不要領域の幅ｂは、第２の導光板５３０の幅であり、多数のＬＥＤ光源５２１を設けるに連れて大きくなる。その結果、特許文献２のものでは、導光板５２３における有効照明領域が大きくなる反面、照明装置が全体として大型化してしまうという問題がある。
【００１８】
そして、この特許文献２の照明装置を、比較的大型の表示部を有する液晶表示装置に適用する場合や、表示の高輝度化を実現しようとする場合には、より多くのＬＥＤ光源５２１が必要となるため、上記問題は、特に顕著になる。
【００１９】
本発明は斯かる諸点に鑑みてなされたものであり、その目的とするところは、線状に配列された複数の点状光源と、導光体とを有する照明装置及びそれを備える液晶表示装置について、点状光源の光を効率よく導光体へ伝えながら、有効照明領域を増大させると共に、装置全体の小型化を図ることにある。
【００２０】
【課題を解決するための手段】
上記の目的を達成するために、この発明では、点状光源の光が入射する各入射面の間に、補助光源により入射された補助光を集める集光面を設けるようにした。
【００２１】
具体的に、本発明に係る照明装置は、所定の間隔で列状に並ぶ複数の点状光源と、上記点状光源の光が入射する導光体とを備える照明装置が対象である。そして、上記導光体は、上記点状光源の配列方向に延びる第１の側部と、点状光源の配列方向と交差する方向に延びる第２の側部とを備え、上記第２の側部には、補助光を上記導光体へ入射させる補助光源が設けられ、上記第１の側部は、上記各点状光源の光がそれぞれ入射する複数の入射面と、該各入射面の間に形成され、導光体に入射した補助光を集める集光面とを備えている。
【００２２】
上記第２の側部は、第１の側部の両端に形成され、補助光源は、上記各第２の側部にそれぞれ設けられていてもよい。
【００２３】
上記集光面は、点状光源の配列方向に直交する方向へ向かうに連れて、溝幅が狭くなる切り欠き溝を構成していることが好ましい。
【００２４】
上記切り欠き溝は、該各切り欠き溝の位置が補助光源から導光体の内側へ移るに連れて、深くなっていくように形成されていることが望ましい。
【００２５】
また、本発明に係る液晶表示装置は、上記照明装置と、該照明装置の光を変調する液晶表示素子とを備えている。
【００２６】
以下、本発明の作用を説明する。
【００２７】
各点状光源から出射された光は、導光体の第１の側部に設けられている各入射面へ入射する。入射面に入射した光は、入射面に直交する方向を軸とした所定の放射角度で、導光体の内部へ拡がっていく。点状光源の光は、導光体に直接に入射されることにより、効率よく導光体の内部へ伝えられるため、高輝度の照明を実現することが可能となる。ところが、隣接する入射面同士の間には所定の間隔が設けられているため、該入射面の間の領域には、該点状光源の光が進入しない。
【００２８】
従来の照明装置では、特に、大きな照明領域を、より少ない点状光源で賄おうとした場合には、点状光源の放射角特性により、上記入射面の間の領域に比較的大きな暗部が現れてしまう。それを隠すためには、導光体における額縁領域を広げて、有効照明領域を小さくする必要がある。しかしながら、有効照明領域や装置の外形寸法は、所定の寸法に指定されている場合が多いため、結局は、照明の品位が低下するという状態に陥ってしまう。
【００２９】
これに対し、本発明では、補助光源から出射された補助光は、導光体の第２の側部へ入射する。第２の側部へ入射した補助光は、第２の側部に直交する方向を軸とした所定の放射角度で、導光体の内部へ拡がっていく。導光体の内部へ進入した補助光は、上記各入射面の間に形成された集光面で屈折して集光されるため、該各入射面の間の領域における照明光は、明るくなる。
【００３０】
また、集光面が構成する切り欠き溝の深さが、該切り欠き溝の位置が補助光源から導光体の内側へ移るに連れて、深くなっていくように形成されている場合には、補助光源から離れるに連れて弱くなる補助光を、比較的深い切り欠き溝により効率的に集光することが可能となる。
【００３１】
その結果、導光体の第１の側部近傍において、照明光の明暗を均一化させることが可能となるため、導光体に入射された光は、該導光体の全体に亘って均斉化される。すなわち、導光体における有効照明領域が増大すると共に、点状光源の光を予め均斉化させるための第２の導光板等が不要となるため、装置全体の小型化が図られる。
【００３２】
【発明の実施の形態】
以下、本発明の実施形態を図面に基づいて詳細に説明する。尚、本発明は、以下の実施形態に限定されるものではない。
【００３３】
図１及び図２は、本発明に係る照明装置及びそれを備える液晶表示装置の実施形態を示している。図１は、照明装置２０及び液晶表示装置１を模式的に示す概略斜視図であり、図２は、照明装置２０の要部を示す拡大平面図である。
【００３４】
液晶表示装置１は、液晶表示パネルである液晶表示素子１０と、該液晶表示素子１０の背面側（すなわち、液晶表示素子１０を介して観察者側と反対側である図１で上側）に設けられた照明装置２０と、該照明装置２０及び液晶表示素子１０を収納するケーシング２８とを備えている。
【００３５】
上記液晶表示素子１０は、公知の透過型の液晶表示素子であり、背面側から入射される照明装置２０の光を変調することにより表示を行うためのものである。液晶表示素子１０は、図示は省略するが、典型的には、ＴＦＴ（薄膜トランジスタ）等のスイッチング素子を有するスイッチング素子基板と、該スイッチング素子基板に対向して設けられ、カラーフィルタ等を有する対向基板と、該対向基板とスイッチング素子基板との間に設けられた液晶層とを備えている。
【００３６】
上記照明装置２０は、いわゆるエッジライト方式のバックライト２０である。バックライト２０は、線状光源２１と、該線状光源２１の光が入射する導光体である導光板２３と、線状光源２１及び導光板２３を保持する枠体２４と、導光板２３の背面側に設けられた反射シート２６と、導光板２３の前面側に設けられた光学シート２５とにより構成されている。
【００３７】
上記線状光源２１は、ＬＥＤアレイにより構成されている。ＬＥＤアレイには、所定の間隔で列状に並ぶ複数の点状光源である発光ダイオード２１ａ（以降、ＬＥＤ光源と称する）と、該各ＬＥＤ光源２１ａが実装された電源供給用のフレキシブル基板２２（可撓性を有する配線基板）とが設けられている。フレキシブル基板２２には、ＬＥＤ光源２１の他に、ツェナーダイオードが半田を用いて実装されており、電力を供給するための端子が設けられている。
【００３８】
上記導光板２３は、ポリカーボネートやポリメチルメタクリレート等の透明樹脂材料により構成されており、ＬＥＤ光源２１ａの配列方向に延びる第１の側部３１と、ＬＥＤ光源２１ａの配列方向と交差する方向に延びる第２の側部３２と、光学シート２５に対向する出射面３３とを備えている。導光板２３は、典型的には、図１で上方からみて長方形に形成され、第１の側部３１と、第２の側部３２とがなす角度は、直角になっている。第２の側部３２は、第１の側部３１の両端に形成されている。
【００３９】
第１の側部３１には、上記線状光源２１が設けられる一方、第２の側部３２には、補助光を導光板２３へ入射させるための補助光源３０が設けられている。補助光源３０は、例えば、点状光源であるＬＥＤ光源により構成されている。図２に拡大して示すように、上記各第２の側部３２には、第１の側部３１側の端部に、補助光源３０の光が入射する補助入射面３２ａがそれぞれ形成されている。そして、各補助入射面３２ａには、上記補助光源３０がそれぞれ１つずつ設けられている。尚、補助光源３０は複数設けてもよく、その数を導光板２３の大きさに応じて決定すればよい。
【００４０】
また、導光板２３の出射面３３、又は、該出射面３３に対向する対向面３４には、ドットパターン、シボパターン、又はプリズム構造が形成されており、導光体２３に入射した線状光源２１及び補助光源３０の光が、出射面３３の略全面から出射するようになっている。
【００４１】
上記枠体２４は、導光板２３の側部の周りに配置され、該導光板２３及び線状光源２１を内側で保持している。上記反射シート２６は、導光板２３の対向面３４から背面側へ出射した光を、光学シート２５へ向かって反射させ、表示のために有効に利用するように構成されている。また、上記光学シート２５は、液晶表示パネル１１に入射する光の特性を調整するためのプリズムシート等により構成されており、観察者が観察する光の輝度を向上させるようにしている。
【００４２】
そして、上記第１の側部３１は、図２に示すように、各ＬＥＤ光源２１ａの光がそれぞれ入射する複数の入射面３１ａと、該各入射面３１ａの間に形成され、導光板２３に入射した補助光を集める集光面３１ｂとを備えている。
【００４３】
すなわち、入射面３１ａは、上記各ＬＥＤ光源２１ａに対応して１つずつ形成された平面であり、隣接する入射面３１ａ同士の間には、所定の間隔が設けられている。こうして、各ＬＥＤ光源２１ａから照射された光が、対応する各入射面３１ａを透過して導光板２３の内部へ入射するようになっている。
【００４４】
集光面３１ｂは、入射面３１ａの端部から、隣接する２つの入射面３１ａの間の中央内側へ向かって、連続して延びる２つの曲面により構成されている。すなわち、集光面３１ｂは、ＬＥＤ光源２１ａの配列方向に直交する方向へ向かうに連れて、溝幅が狭くなる切り欠き溝３１ｂを構成している。切り欠き溝３１ｂは、該各切り欠き溝３１ｂの位置が補助光源３０から導光板２３の内側へ移るに連れて、深くなっていくように形成されている。言い換えれば、集光面３１ｂは、補助光源３０から遠ざかるに連れて、該集光面３１ｂの面積が大きくなるように構成されている。このことにより、補助光源３０から離れるに連れて弱くなる補助光を、効果的に集光できるようにしている。
【００４５】
−照明装置及び液晶表示装置の作動−
次に、本実施形態の照明装置（バックライト２０）及び液晶表示装置１の作動について説明する。
【００４６】
バックライト２０は、線状光源２１を構成する各ＬＥＤ光源２１ａと、補助光源３０とが発光することにより点灯する。各ＬＥＤ光源２１ａから出射された光は、対応する各入射面３１ａへそれぞれ入射する。入射面３１ａに入射した光は、図３に符号Ｌで示すように、入射面３１ａに直交する方向を軸とした所定の放射角度で、該ＬＥＤ光源２１ａが設けられている領域Ａから、導光板２３の内部へ拡がっていく。このとき、隣接する入射面３１ａ同士の間には所定の間隔が設けられているため、ＬＥＤ光源２１ａが設けられていない各入射面３１ａの間の領域Ｂには、ＬＥＤ光源２１ａの光が進入しない。
【００４７】
一方、補助光源３０から出射された補助光は、補助入射面３２ａへ入射する。補助入射面３２ａへ入射した補助光は、図３に符号Ｍで示すように、該補助入射面３２ａに直交する方向を軸とした所定の放射角度で、導光板２３の内部へ拡がっていく。導光板２３の内部へ進入した補助光は、上記各入射面３１ａの間の領域Ｂに形成された集光面で屈折して集光されるため、該領域Ｂにおける照明光は、明るくなる。
【００４８】
その結果、上記領域Ａにおける照明の明るさと、領域Ｂにおける照明の明るさとが同等となるため、導光板２３における第１の側部３１の近傍（導光板２３の入光部）において、照明光の明暗が均一化される。つまり、導光板２３に入射された光は、導光板２３の全体に亘って均斉化される。
【００４９】
その後、導光板２３で均斉化された照明光の一部は、出射面３３から直接に出射する一方、それ以外の照明光は、一旦、対向面３４から出射し、反射シート２６により反射された後に、出射面３３から出射する。そして、出射面３３から出射した照明光は、光学シート２５を通過し、該光学シート２５により光の進行方向が液晶表示素子１０における表示面の法線方向に近付けられる。こうして、輝度が向上された照明光は、液晶表示素子１０へ入射して変調される。以上のようにして、液晶表示装置１は、所望の表示を行う。
【００５０】
−実施形態の効果−
したがって、この実施形態によると、ＬＥＤ光源２１ａの光が進入しない各入射面３１ａの間の領域Ｂに、集光面３１ｂを設けるようにしたので、該領域Ｂにおいて、側方から進入する補助光を屈折させて集光することができる。その結果、上記ＬＥＤ光源２１ａのみでは暗部となってしまう領域Ｂを、入射面３１ａが設けられている領域Ａと同様に明るくして、導光板２３の第１の側部３１近傍における照明光の明暗を均一化させることができるため、有効照明領域を増大させることができる。
【００５１】
さらに、集光面３１ｂにより構成される切り欠き溝３１ｂの深さを、該切り欠き溝３１ｂの位置が補助光源３０から導光板２３の内側へ移るに連れて、深くなっていくように形成したので、補助光源３０から離れるに連れて弱くなる補助光を、比較的深い切り欠き溝３１ｂにより効率的に集光することができる。
【００５２】
そのことに加えて、ＬＥＤ光源２１ａの光を予め均斉化させるための第２の導光板等が不要となるため、装置全体の小型化を図ることができる。さらに、ＬＥＤ光源２１ａの光を、第２の導光板等を介さずに導光板２３に直接に入射させるようにしたので、各ＬＥＤ光源２１ａの光を効率よく利用して高輝度の照明を実現することができる。したがって、比較的少ない数のＬＥＤ光源２１ａにより照明を適切な照明を行うことができるため、消費電力やコストを低減させることができる。
【００５３】
すなわち、表１に示すように、図６に示す従来例１（特許文献１）のものでは、線状光源が小さい反面、第１の側部近傍を有効照明領域として使用できないため、照明装置における有効照明領域として使用できない使用不可能領域は、比較的大きくなる。また、図７に示す従来例２（特許文献２）のものでは、第１の側部近傍を有効照明領域として使用できる反面、第２の導光板を設けるためのスペースが必要となるため、使用不可能領域は、特に大きくなってしまう。これに対し、本発明による実施例では、上述のように、第１の側部３１近傍を有効照明領域として使用できると共に、第２の導光板等を設けないため、使用不可能領域を比較的小さくすることができる。
【００５４】
（表１）
2005005060.tif 000003
また、照明の明るさ（照明輝度）については、従来例１のものでは、ＬＥＤ光源と導光板との間に介在されている第２の導光板により、ＬＥＤ光源の光が減衰するため、照明明るさは低下してしまう。これに対して、本発明による実施例では、従来例２と同様に、ＬＥＤ光源の光が減衰しないため、照明明るさを比較的明るくすることができる。
【００５５】
言い換えれば、本実施形態によると、照明光を高輝度に維持したまま、装置全体に対する上記使用不可能領域を縮小して狭額縁化を図ることができる。
【００５６】
尚、上記実施形態では、補助光源３０を、導光板２３における各第２の側部３２にそれぞれ設けるようにしたが、請求項１に係る発明の他の実施形態としては、図４に示すように、一方の第２の側部３２にのみ設けるようにしてもよい。このとき、切り欠き溝３１ｂの深さを、補助光源３０が設けられている第２の側部３２から、他方の第２の側部３２へ向かうに連れて（図４で左側から右側へ向かって）大きくなるように形成することが好ましい。このことにより、ＬＥＤ光源の数を低減してコストを抑えつつ、有効照明領域の拡大を図ることが可能となる。
【００５７】
また、本実施形態では、透過型の液晶表示装置を例として説明したが、本発明はこれに限定されず、透過反射両用型の液晶表示装置のバックライトやフロントライトにも好適に適用することができるし、反射型の液晶表示装置のフロントライトにも好適に適用することができる。
【００５８】
【発明の効果】
以上説明したように、本発明によると、補助光源から導光体の内部へ進入した補助光は、点状光源の光が入射する各入射面の間に形成された集光面で集光されるため、該各入射面の間の領域における照明光を明るくすることができる。その結果、導光体の第１の側部近傍において、照明光の明暗を均一化させることができるため、有効照明領域を増大させることができる。さらに、点状光源の光を予め均斉化させるための第２の導光板等が不要となるため、装置全体の小型化を図ることができる。そのことに加えて、点状光源の光を、導光体に直接に入射させて効率よく導光体の内部へ伝えるようにしたので、高輝度の照明を実現することができる。
【図面の簡単な説明】
【図１】本実施形態の照明装置を有する液晶表示装置の構成を示す斜視図である。
【図２】照明装置の要部を拡大して示す拡大平面図である。
【図３】本実施形態のＬＥＤ光源及び補助光源による照明状態を示す説明図である。
【図４】他の実施形態の照明装置の要部を示す図２相当図である。
【図５】従来の照明装置を備える液晶表示装置の構成を示す斜視図である。
【図６】従来の照明装置による照明状態を示す説明図である。
【図７】従来の第２の導光板を備える照明装置による照明状態を示す説明図である。
【符号の説明】
１  液晶表示装置
１０  液晶表示素子
２０  バックライト（照明装置）
２１ａ  ＬＥＤ光源（点状光源）
２３  導光板
３０  補助光源
３１  第１の側部
３１ａ  入射面
３１ｂ  集光面（切り欠き溝）
３２  第２の側部
【図１】
2005005060.tif 000004
【図２】
2005005060.tif 000005
【図３】
2005005060.tif 000006
【図４】
2005005060.tif 000007
【図５】
2005005060.tif 000008
【図６】
2005005060.tif 000009
【図７】
2005005060.tif 000010